(57)【要約】【課題】袖壁パネルを設ける場合と設けない場合、袖壁パネルを設ける場合でも袖壁パネルを異なる左右幅寸法にする場合の何れの施工においても、同種の方立を用いることができ且つ施工が容易な片引き戸及び片引き戸の施工方法を提供する。【解決手段】本発明に係る片引き戸１は、上下の横枠５、６と戸先側竪枠１１と引戸障子９の戸尻の室内側面に対向する方立１３とを有し躯体開口部３の室外側に配置する片引き戸枠４と、躯体開口部３の幅が引戸障子９の見付け幅よりも大きい場合に方立１３と躯体開口部３の竪縁部２３との間で上下の横枠５、６間に配置する袖壁パネル枠１５とを備えている。方立１３は躯体開口部３の幅が引戸障子９の見付け幅と略同じ場合に躯体開口部３の竪縁部２３に取り付ける竪縁取付部２５を有し、袖壁パネル枠１５は方立１３の竪縁取付部２５を隠すカバー部３９を有する方立側竪枠２９と、躯体開口部の竪縁部２３に取り付ける竪縁取付部４２を有する躯体側竪枠３１とを備えている。【選択図】図１
2008285921.tif 000002
【特許請求の範囲】
【請求項１】
上下の横枠と戸先側竪枠と引戸障子の戸尻の室内側面に対向する方立とを有し躯体開口部の室外側に配置する片引き戸枠と、躯体開口部の幅が引戸障子の見付け幅よりも大きい場合に方立と躯体開口部の竪縁部との間で上下の横枠間に配置する袖壁パネル枠とを備え、方立は躯体開口部の幅が引戸障子の見付け幅と略同じ場合に躯体開口部の竪縁部に取付ける竪縁取付部を有し、袖壁パネル枠は方立の竪縁取付部を隠すカバー部を有する方立側竪枠と、躯体開口部の竪縁部に取付ける竪縁取付部を有する躯体側竪枠とを備えることを特徴とする片引き戸。
【請求項２】
上下の横枠と戸先側竪枠と引戸障子の戸尻の室内側面に対向する方立とを有する片引き戸枠と、袖壁パネル枠とを準備し、躯体開口部の幅が引戸障子の見付け幅よりも大きい場合は、方立に隣接する位置で上下の横枠間に、躯体開口部の幅から引戸障子の見付け幅を差し引いた幅と略同寸法の袖壁パネル枠を配置して、片引き戸枠と共に袖壁パネル枠を躯体開口部に取付け、躯体開口部の幅が引戸障子の見付け幅と略同じ場合は躯体開口部に片引き戸枠のみを取付けることを特徴とする片引き戸の施工方法。
【発明の詳細な説明】
【技術分野】
【０００１】
本発明は、片引き戸及び片引き戸の施工方法に関する。
【背景技術】
【０００２】
特許文献１には、躯体開口部の内周側に引き戸枠を設け、上下の横枠間に方立を取付けると共に、方立は引戸障子を閉めたときの戸尻の室内側面に対向して配置し、引き戸の戸尻側竪枠と方立との間には袖壁パネルを設けることが開示されている（従来技術１）。
また、図５に示すように、躯体開口部５１の室外側に上下の横枠（図５には下横枠５３のみを示す）を設け、上下の横枠に方立５５を取付けると共に方立を躯体開口部の竪縁部５７に取付けることが公知である（従来技術２）。
【０００３】
【特許文献１】特開２００２−１８０７５７号公報
【発明の開示】
【発明が解決しようとする課題】
【０００４】
一方、片引き戸を設けた玄関口において、玄関の土間が狭い為に袖壁パネルを設けたくないという要求や、袖壁パネルを設ける場合でも袖壁パネルの見付け幅を小さくしたいという要求や、見付け幅を大きくしたいという要求がある。
しかし、特許文献１（従来技術１）の技術は、躯体開口部の内周側に片引き戸を設ける構成であるから、枠材の寸法や袖壁パネルの寸法が定まったものになり、上述の異なる要求（仕様）毎に異なる種類や寸法の部材を用いて施工しなければならないという不都合がある。
また、従来技術２では、竪縁取付部５９を有する方立５５を用いているから、袖壁パネル枠を設ける場合には、特許文献１のように竪縁取付部のない方立を用いる必要があり、用意する方立の種類が増えると共に施工が煩雑になるという不都合がある。
【０００５】
そこで、本発明は、袖壁パネルを設ける場合と設けない場合、袖壁パネルを設ける場合でも袖壁パネルを異なる左右幅寸法にする場合の何れの施工においても、同種の方立を用いることができ且つ施工が容易な片引き戸及び片引き戸の施工方法の提供を目的とする。
【課題を解決するための手段】
【０００６】
請求項１に記載の発明は、上下の横枠と戸先側竪枠と引戸障子の戸尻の室内側面に対向する方立とを有し躯体開口部の室外側に配置する片引き戸枠と、躯体開口部の幅が引戸障子の見付け幅よりも大きい場合に方立と躯体開口部の竪縁部との間で上下の横枠間に配置する袖壁パネル枠とを備え、方立は躯体開口部の幅が引戸障子の見付け幅と略同じ場合に躯体開口部の竪縁部に取付ける竪縁取付部を有し、袖壁パネル枠は方立の竪縁取付部を隠すカバー部を有する方立側竪枠と、躯体開口部の竪縁部に取付ける竪縁取付部を有する躯体側竪枠とを備えることを特徴とする。
【０００７】
請求項２に記載の発明は、上下の横枠と戸先側竪枠と引戸障子の戸尻の室内側面に対向する方立とを有する片引き戸枠と、袖壁パネル枠とを準備し、躯体開口部の幅が引戸障子の見付け幅よりも大きい場合は、方立に隣接する位置で上下の横枠間に、躯体開口部の幅から引戸障子の見付け幅を差し引いた幅と略同寸法の袖壁パネル枠を配置して、片引き戸枠と共に袖壁パネル枠を躯体開口部に取付け、躯体開口部の幅が引戸障子の見付け幅と略同じ場合は躯体開口部に片引き戸枠のみを取付けることを特徴とする。
【発明の効果】
【０００８】
請求項１に記載の発明によれば、竪縁取付部を有する方立を用い、躯体開口部の幅が引戸障子の見付け幅と略同じ場合には袖壁パネルを設けないで、方立を上下の横枠間に配置すると共に方立の竪縁取付部を竪縁部に取付ける。躯体開口部の幅が引戸障子の見付け幅よりも大きい場合には、方立と躯体開口部の竪縁部との間で上下横枠間に袖壁パネル枠を配置して袖壁パネル枠の方立側竪枠を方立に取付けてカバー部で方立の竪縁取付部を隠すから、袖壁パネル枠を設ける場合と袖壁パネル枠を設けない場合とで、同一種類の方立を使用できる。
袖壁パネル枠を取付ける場合でも、躯体開口部の幅が施工現場で異なる場合には、見付け幅の異なる袖壁パネル枠を用いることにより、容易に施工できる。
【０００９】
請求項２に記載の発明によれば、躯体開口部の幅が引戸障子の見付け幅よりも大きい場合には、片引き戸枠の方立に隣接する位置で上下の横枠間に、躯体開口部の幅から引戸障子の見付け幅を差し引いた幅と略同寸法の袖壁パネル枠を配置して、片引き戸枠と袖壁パネル枠とを躯体開口部に取付できる。躯体開口部の幅が引戸障子の見付け幅と略同じ場合には、躯体開口部に片引き戸枠のみを取付けるので、袖壁パネル枠を設ける場合と袖壁パネル枠を設けない場合とで、同一種類の方立を使用できる。
袖壁パネル枠は、躯体開口部の幅が引戸障子の見付け幅よりも大きい場合には、躯体開口部の幅から引戸障子の見付け幅を差し引いた幅と略同寸法の袖壁パネル枠を片引き戸枠と共に躯体開口部に取付けるので、躯体開口部の幅が施工現場で異なる場合にも施工が容易にできる。
【発明を実施するための最良の形態】
【００１０】
以下に、添付図面を参照して本発明の実施の形態を説明する。図１は本実施の形態に係る片引き戸を示し、（ａ）は袖壁パネル枠を設けない片引き戸を図４（ａ）のＤ−Ｄ位置で切断して示す断面図であり、（ｂ）は見付け幅の小さい袖壁パネル枠を設けた片引き戸を図４（ｂ）のＥ−Ｅ位置で切断して示す断面図であり、（ｃ）は見付け幅が大きい袖壁パネル枠を設けた片引き戸を図４（ｃ）のＦ−Ｆ位置で切断して示す断面図であり、図２（ａ）は方立の横断面図であり、（ｂ）は方立に袖壁パネル枠の方立側竪枠を取付けた状態の横断面図であり、図３（ａ）は本実施の形態に係る片引き戸を図４（ａ）（ｂ）（ｃ）の各Ａ−Ａ位置で切断して示す断面図であり、（ｂ）は本実施の形態に係る片引き戸を図４（ｂ）（ｃ）の各Ｂ−Ｂ位置で切断して示す断面図であり、（ｃ）は本実施の形態に係る片引き戸を図４（ａ）（ｂ）の各Ｃ−Ｃ位置で切断して示す断面図であり、図４は本実施の形態に係る片引き戸を示し、（ａ）は袖壁パネル枠のない片引き戸を室外側から見た正面図であり、（ｂ）は見付け幅が小さい袖壁パネル枠を設けた片引き戸を室外側から見た正面図であり、（ｃ）は見付け幅が大きい袖壁パネル枠を設けた片引き戸を室外側から見た正面図である。
本実施の形態に係る片引き戸１は、躯体開口部の幅が引戸障子の見付け幅と略同じ場合や躯体開口部の幅が引戸障子の見付け幅よりも大きい場合の仕様に応じて、引戸障子の移動方向戸尻側に袖壁パネル枠を設けなかったり設けたりするものであり、躯体開口部の幅が引戸障子の見付け幅と略同じ場合には、図４（ａ）に示すように、袖壁パネル枠を設けないで施工できるようにしてあり、躯体開口部の幅が引戸障子の見付け幅よりも大きい場合には、その大きさに応じて図４（ｂ）に示すように、見付け幅が小さい袖壁パネル枠１５を設けたり、図４（ｃ）に示すように、見付け幅が大きい袖壁パネル枠１５を設けたりするものである。
この片引き戸１は、図１（ｂ）及び図３（ａ）に示すように、躯体開口部３の室外側に配置した引戸上枠５（上横枠）及び引戸下枠７（下横枠）と、引戸上枠５と引戸下枠７間を移動する引戸障子９と、戸先側竪枠１１と、引戸上枠５と引戸下枠７との間に固定する方立１３と、引戸障子９の移動方向戸尻側に配置する袖壁パネル枠１５とを備えている。尚、引戸上枠５（上横枠）と、引戸下枠７（下横枠）と、戸先側竪枠１１と、方立１３とで片引き戸枠４を構成している。
引戸障子９は、引戸上枠５の室外側部５ａに設けたレール１７に係合する戸車１９に吊り下げてあり、引戸上下枠５、７の室外側部５ａ、７ａ間を移動するようになっている。
戸先側竪枠１１は、躯体開口部３の室外側に配置してあり、躯体３ａに固定されていると共に戸先側竪枠１１には、外壁１９が接続されている。
方立１３は、躯体開口部３の室外側に配置して、引戸上下枠５、７の室内側部５ｂ、７ｂ間に固定してあり、引戸障子９を閉めたときの戸尻９ａの室内側面に対向する位置に設けてある。方立１３の室外側には、引戸障子９に当接する気密材の取付部材２１が固定されている。図１（ａ）及び図２（ａ）に示すように、方立１３の室内側には、躯体開口部３の竪縁部２３に取付け自在な竪縁取付部２５が設けてある。竪縁取付部２５は、竪縁部２３の角部に取付けるように、断面において互いに直角を成す室外側当接部２５ａと、内周側当接部２５ｂとを有しており、室外側当接部２５ａと内周側当接部２５ｂを竪縁材２３に当てて、室外側当接部２５ａと内周側当接部２５ｂとをねじ２７ａ、２７ｂで竪縁部２３に固定するようになっている。
袖壁パネル枠１５は、躯体開口部３の幅が引戸障子９の見付け幅よりも大きい場合に、方立１３と躯体開口部３の竪縁部２３との間に取付けて袖壁パネル２ａ、２ｂを取付けるものであり、方立１３側に配置する方立側竪枠２９と、躯体側に配置する躯体側竪枠３１と、袖壁パネル上枠３３（図３（ｂ）参照）と、袖壁パネル下枠（図３（ｂ）参照）３５とから構成されている。袖壁パネル枠１５の方立側竪枠２９及び躯体側竪枠３１は、各々引戸上枠５と引戸下枠７との間に取付け自在であり、躯体側竪枠３１は引戸上枠５と引戸下枠７との長手方向における任意の位置に取付け自在である。
袖壁パネル枠１５の方立側竪枠２９は、方立１３に取付け自在に設けてあり、図２（ｂ）に示すように、方立１３に取付けて方立１３の竪縁取付部２５を隠すカバー部３９を有している。カバー部３９には方立１３の内周側当接部２５ｂに係止する係止部３７が設けてあり、係止部３７を内周側当接部２５ｂに係止して、カバー部３９で内周側当接部２５ｂと室外側当接部２５ａを覆っている。
図３（ｂ）に示すように、袖壁パネル上枠３３は上枠５に取付けてあり、袖壁パネル下枠３５は下枠７に取付けてある。
袖壁パネル枠１５には、見付け幅の異なる透明な袖壁パネル２ａ（図４（ｂ）参照）又は２ｂ（図４（ｃ）参照）が取付けてあり、室内側の採光を図っている。
尚、見付け幅の異なる袖壁パネル枠１５（図１（ｂ）に示す袖壁パネル枠１５と、図１（ｃ）に示す袖壁パネル枠１５）は、予め準備してあり、施工現場における躯体開口部の幅寸法に応じて、何れかを取付けできるようにしてある。
【００１１】
次に、本実施の形態に係る片引き戸１の施工、作用及び効果について説明する。
本実施の形態に係る片引き戸１は、玄関に施工されるものであって、躯体開口部の幅が引戸障子の見付け幅と略同じか大きいかの建築物の仕様に応じて、袖壁パネル枠１５を設けなかったり、袖壁パネル枠１５を設けたりすることができ、袖壁パネル枠１５のサイズも見付け幅の小さいものや大きいものを自在に取付けできるものである。
例えば、図４（ａ）に示すように、袖壁パネル枠１５を設けない場合には、躯体開口部３に引戸上枠５、引戸下枠７、戸先側竪枠１１を取付け、図１（ａ）に示すように、引戸障子９の戸尻側の上枠５と下枠７との間に方立１３を取付ける。そして、図１（ａ）及び図２（ａ）に示すように、方立１３は、躯体開口部３の内周面に配置してある竪縁部２３に、竪縁取付部２５の室外側当接部２５ａと内周側当接部２５ｂを当ててねじ２７ａ、２７ｂで固定する。方立１３の外周側面には、外壁１９を接続する。
図４（ｂ）に示すように、片引き戸１に見付け幅の小さい袖壁パネル枠１５を取付ける場合には、図１（ｂ）に示すように、方立１３と躯体開口部３の竪縁部１３との間で引戸上枠５と引戸下枠７との間に袖壁パネル枠１５を取付ける。袖壁パネル枠１５の方立側竪枠２９はカバー部３９の先端にある係止部３７を方立１３の内周側当接部２５ｂに係止してカバー部３９で竪縁取付部２５を隠す。この図４（ｂ）の片引き戸１では、左右幅の小さい袖壁パネル枠１５を設けているので、袖壁パネル枠１５の躯体側竪枠３１は引戸上枠５と引戸下枠７においてその長手方向中間部に取付け、袖壁パネル枠１５の躯体側竪枠３１は竪縁取付部４２を竪縁部２３に固定する。袖壁パネル枠１５の躯体側竪枠３１を竪縁部２３へ固定するときは、竪縁取付部４２の室外側当接部４２ａと内周側取付部４２ｂとを竪縁部２３に当てて各々ねじで取付ける。
そして、袖壁パネル枠１５にパネル２ａを取付ける。尚、躯体側竪枠３１の外周側面には外壁１９を接続する。
図４（ｃ）に示すように、片引き戸１に見付け幅が大きい袖壁パネル枠１５を取付ける場合には、図１（ｃ）に示すように、図４（ｂ）の場合と同様に、上枠５と下枠７との間に袖壁パネル枠１５を取付けるが、袖壁パネル枠１５の躯体側竪枠３１は、引戸上枠５と引戸下枠７との各躯体側端部に取付ける。その他の施工は図４（ｂ）に示す片引き戸と略同じである。
本実施の形態によれば、図４（ａ）（ｂ）（ｃ）に示す各片引き戸１の施工において、図４（ａ）の片引き戸１では、図４（ｂ）の片引き戸１において袖壁パネル枠１５を除いた構成であり、引戸上枠５、引戸下枠７、引戸障子９、戸先側竪枠１１、方立１３は同種のものを用いて施工できる。
特に、竪縁取付部２５を有する方立１３を用い、図４（ａ）の片引き戸１のように袖壁パネル枠１５を設けない場合には方立１３を竪縁部２３に固定し、図４（ｂ）及び（ｃ）の片引き戸１のように袖壁パネル枠１５を設ける場合には、引戸障子９の移動方向戸尻側に袖壁パネル枠１５を設け、袖壁パネル枠１５の方立側竪枠２９を方立１３に取付けてカバー部３９で方立１３の竪縁取付部２５を隠すから、袖壁パネル枠１５を設ける場合と袖壁パネル枠１５を設けない場合とで、同一種類の方立１３を使用でき、部材の種類を少なくできる。
図４（ｂ）と図４（ｃ）に示すように、見付け幅が異なる袖壁パネル枠１５を設ける場合には、袖壁パネル枠１５のサイズに応じて、工場で予め準備してある見付け幅が異なる袖壁パネル枠１５を躯体開口部３に取付ければ良いだけなので、袖壁パネル枠１５の左右の幅が異なる場合にも施工が容易にできる。
また、図４（ａ）及び図１（ａ）に示すように、躯体開口部３の幅が引戸障子９の見付け幅と略同じ場合は、片引き戸枠４のみを取付けて躯体開口部３を塞ぎ、図４（ｂ）と図１（ｂ）、又は図４（ｃ）と図１（ｃ）に示すように、躯体開口部３の幅が引戸障子９の見付け幅よりも大きい場合は、片引き戸枠４と共に袖壁パネル枠１５を取付けて躯体開口部３を塞ぐので、袖壁パネル枠１５を設ける場合と袖壁パネル枠１５を設けない場合とで、同一種類の方立１３を使用できる。
図１（ｂ）及び図１（ｃ）に示すように、袖壁パネル枠１５は左右幅寸法の異なるものを複数個工場に用意しておき、躯体開口部３の幅が引戸障子９の見付け幅よりも大きい場合には、躯体開口部３の幅から引戸障子９の見付け幅を差し引いた幅の袖壁パネル枠１５を片引き戸枠４と共に躯体開口部３に取付けるので、躯体開口部３の左右幅にあった施工が容易にできる。
【００１２】
本発明は、上述した実施の形態に限らず、本発明の要旨を逸脱しない範囲で種々変形可能である。
例えば、袖壁パネル２ａ、２ｂは透明パネルに限らず、不透明であっても良いし、ガラリであってもよい。また、袖壁パネル２ａ、２ｂに郵便受け等を設けても良いし、袖壁パネル枠１５内は一部を開口にして荷物の出し入れ口にしても良い。
引戸障子９は引戸上枠５に吊り下げることに限らず、下枠７に設けたレール上を移動するものでも良い。
【図面の簡単な説明】
【００１３】
【図１】本実施の形態に係る片引き戸であって、（ａ）は袖壁パネル枠を設けない片引き戸を図４（ａ）のＤ−Ｄ位置で切断して示す断面図であり、（ｂ）は見付け幅が小さい袖壁パネル枠を設けた片引き戸を図４（ｂ）のＥ−Ｅ位置で切断して示す断面図であり、（ｃ）は、見付け幅が大きい袖壁パネル枠を設けた片引き戸を図４（ｃ）のＦ−Ｆ位置で切断して示す断面図である。
【図２】（ａ）は方立の横断面図であり、（ｂ）は方立に袖壁パネル枠の方立側竪枠を取付けた状態の横断面図である。
【図３】（ａ）は本実施の形態に係る片引き戸を図４（ａ）（ｂ）（ｃ）の各Ａ−Ａ位置で切断して示す断面図であり、（ｂ）は本実施の形態に係る片引き戸を図４（ｂ）（ｃ）の各Ｂ−Ｂ位置で切断して示す断面図であり、（ｃ）は本実施の形態に係る片引き戸を図４（ａ）（ｂ）の各Ｃ−Ｃ位置で切断して示す断面図である。
【図４】本実施の形態に係る片引き戸であって、（ａ）は袖壁パネル枠のない片引き戸を室外側から見た正面図であり、（ｂ）は見付け幅が小さい袖壁パネル枠を設けた片引き戸を室外側から見た正面図であり、（ｃ）は見付け幅が大きい袖壁パネル枠を設けた片引き戸を室外側から見た正面図である。
【図５】従来の片引き戸の横断面図である。
【符号の説明】
【００１４】
１      片引き戸
４      片引き戸枠
３      躯体開口部
５      引戸上枠（上横枠）
７      引戸下枠（下横枠）
９      引戸障子
１１    戸先側竪枠
１３    方立
１５    袖壁パネル枠
２３    竪縁部
２５    竪縁取付部
２９    袖壁パネル枠の方立側竪枠
３１    袖壁パネル枠の躯体側竪枠
３９    カバー部
４２    竪縁取付部
【図１】
2008285921.tif 000003
【図２】
2008285921.tif 000004
【図３】
2008285921.tif 000005
【図４】
2008285921.tif 000006
【図５】
2008285921.tif 000007